(57)【要約】【課題】股下域の両側に形成された防漏性カフと肌との間に生じる隙間を小さくすることができる使い捨てのおむつ。【解決手段】使い捨てのおむつ１が股下域の両側それぞれに前後方向Ａへ延びていて伸長・収縮可能な一対のカフ３２，３３を有する。一対のカフの一方３２は外側縁部に第１弾性部材４７を含む。カフのもう一方３３は、一方のカフ３２の内面に固定された基縁部４４と自由縁部に取り付けられた第２弾性部材４９とを含む。一対のカフ３２，３３の少なくとも一方には、基縁部４４が固定されている部位に隣接して第３弾性部材６０が取り付けられる。【選択図】図４
2010227414.tif 000002
【特許請求の範囲】
【請求項１】
互いに直交する前後方向と横方向と厚さ方向とを有し、前記前後方向の前方に前胴周り域が形成され、前記前後方向の後方に後胴周り域が形成され、前記前胴周り域と後胴周り域との間に前記前後方向へ延びる股下域が形成され、前記股下域には、表面の少なくとも一部分が透液性シートで被覆された体液吸収性芯材が形成されているとともに、前記横方向における前記股下域の両側それぞれに、互いに平行して前記前後方向へ延びる伸長・収縮可能な一対の防漏性のカフが前記芯材の外側に形成されている使い捨てのおむつであって、
前記前後胴周り域と前記股下域とは、前記おむつ着用者の肌と向かい合う内面と、その反対面である外面とを有し、
前記一対のカフの一方は、前記横方向において前記芯材から延出するように形成されていて前記内面と前記外面とを有し、前記股下域の前記横方向の寸法を二等分して前記前後方向へ延びる中心線に平行な外側縁部と、前記外側縁部に伸長状態で取り付けられていて前記外側縁部を前記前後方向へ伸長・収縮させることが可能な少なくとも一条の第１弾性部材とを含み、
前記一対のカフのもう一方は、前記一方のカフの前記内面に固定されていて前記中心線に平行して前記前後方向へ延びる基縁部と、前記基縁部に平行して前記前後方向へ延びる自由縁部と、前記自由縁部に伸長状態で取り付けられていて前記自由縁部を前記前後方向へ伸長・収縮させることが可能な少なくとも一条の第２弾性部材とを含み、
前記一対のカフの少なくとも一方には、前記基縁部が固定されている部位に隣接して前記前後方向へ延びる第３弾性部材が伸長状態で取り付けられており、
前記一対のカフは、前記前後方向における両端部が、前記おむつの内面の側に固定されていることを特徴とする前記おむつ。
【請求項２】
前記前後胴周り域の少なくとも一方には、前記横方向へ延びる複数条の胴周り弾性部材が伸長状態で取り付けられており、前記第１、第２、第３弾性部材のうちのいずれかが前記胴周り弾性部材と交差している請求項１記載のおむつ。
【請求項３】
前記前後胴周り域の少なくとも一方には、前記横方向へ延びる複数条の胴周り弾性部材が伸長状態で取り付けられており、前記第１、第２、第３弾性部材のうちの前記第３弾性部材が前記胴周り弾性部材と交差している請求項１記載のおむつ。
【発明の詳細な説明】
【技術分野】
【０００１】
この発明は、使い捨てのおむつに関する。
【背景技術】
【０００２】
従来、使い捨てのおむつにおいて、股下域の両側それぞれに前後方向へ互いに平行して延びる一対の防漏性カフを有するものは公知ないし周知である。
【０００３】
例えば、特開２００２−１０２２７８号公報(特許文献１)に記載されたパンツ型おむつは、股下域の両側それぞれに、脚周り弾性部材が環状に取り付けられている脚周り開口と、その脚周り開口よりもおむつの内側において前後方向へ延びる一対の防漏性のカフとを有する。カフのそれぞれは、弾性的に伸長・収縮する弾性縁部を有する。その弾性縁部には、直状に伸長した弾性部材が取り付けられている。このおむつを着用すると、環状の脚周り弾性部材の作用によって、脚周り開口の縁部が脚周りの全周に密着し、カフそれぞれは、弾性縁部が鼠蹊部および／または脚周りの内側に密着する。
【先行技術文献】
【特許文献】
【０００４】
【特許文献１】特開２００２−１０２２７８号公報（２００２−１０２２７８  Ａ１）
【発明の概要】
【発明が解決しようとする課題】
【０００５】
特許文献１に記載のおむつでは、脚周り弾性部材が脚周りの全周に密着する他に、胴周り開口の縁に伸長状態で取り付けられている胴周り弾性部材が胴周りの全周に密着することによって、身体の上下方向における位置が安定する。その状態にあるときのカフは、前後方向においてＵ字形を画いて湾曲している弾性縁部が鼠蹊部に対しては下方から、脚周りの内側には斜め下方から密着することによって、股下域における体液の横漏れを防いでいる。然るに、簡易な構造のおむつにあっては、脚周り開口のすぐ内側で前後方向へ互いに平行して延びる一対のカフを有してはいても、脚周り開口の縁に沿って環状に延びる弾性部材を持たないものがある。そのような構造のおむつを着用しているときに、排泄物によっておむつが重くなってずり下がるとか、着用者の身体の動きによっておむつがずり下がるとかということがあると、肌に密着していたカフの弾性縁部もずり下がって、その肌との間に隙間を作り、その隙間から体液が漏れ易くなるということがある。
【０００６】
そこで、この発明では、おむつを着用しているときに、股下域の両側それぞれに形成された防漏性のカフと肌との間に生じる隙間を小さくすることができるように、従来の使い捨ておむつに改良を施すことを課題にしている。
【課題を解決するための手段】
【０００７】
前記課題を解決するために、この発明が対象とするのは、互いに直交する前後方向と横方向とを有し、前記前後方向の前方に前胴周り域が形成され、前記前後方向の後方に後胴周り域が形成され、前記前胴周り域と前記後胴周り域との間に前記前後方向へ延びる股下域が形成され、前記股下域には、表面の少なくとも一部分が透液性シートで被覆された体液吸収性芯材が形成されるとともに、前記横方向における前記股下域の両側それぞれに、互いに平行して前記前後方向へ延びる伸長・収縮可能な一対の防漏性のカフが前記芯材の外側に形成されている使い捨てのおむつである。
【０００８】
かかるおむつにおいて、この発明が特徴とするところは、次のとおりである。前記前後胴周り域と前記股下域とは、前記おむつ着用者の肌と向かい合う内面と、その反対面である外面とを有する。前記一対のカフの一方は、前記横方向において前記芯材から延出するように形成されていて前記内面と前記外面とを有し、前記股下域の前記横方向の寸法を二等分して前記前後方向へ延びる中心線に平行な外側縁部と、前記外側縁部に伸長状態で取り付けられていて前記外側縁部を前記前後方向へ伸長・収縮させることが可能な少なくとも一条の第１弾性部材とを含む。前記一対のカフのもう一方は、前記一方のカフの前記内面に固定されていて前記中心線に平行して前記前後方向へ延びる基縁部と、前記基縁部に平行して前記前後方向へ延びる自由縁部と、前記自由縁部に伸長状態で取り付けられていて前記自由縁部を前記前後方向へ伸長・収縮させることが可能な少なくとも一条の第２弾性部材とを含む。前記一対のカフの少なくとも一方には、前記基縁部が固定されている部位に隣接して前記前後方向へ延びる第３弾性部材が伸長状態で取り付けられている。前記一対のカフは、前記前後方向における両端部が、前記おむつの内面側に固定されている。
【０００９】
この発明の実施形態の一つにおいて、前記前後胴周り域の少なくとも一方には、前記横方向へ延びる複数条の胴周り弾性部材が伸長状態で取り付けられており、前記第１、第２、第３弾性部材のうちのいずれかが前記胴周り弾性部材と交差している。
【００１０】
この発明の実施形態の他の一つにおいて、前記前後胴周り域の少なくとも一方には、前記横方向へ延びる複数条の胴周り弾性部材が伸長状態で取り付けられており、前記第３弾性部材が前記胴周り弾性部材と交差している。
【発明の効果】
【００１１】
この発明に係る使い捨てのおむつは、股下域の両側それぞれに防漏性のカフが一対ずつ形成されている。一対のカフのうちの一方のカフは、おむつの横方向において体液吸収性の芯材から延出するように形成されていて外側縁部に第１弾性部材を有し、もう一方のカフは一方のカフの内面に基縁部が固定されていて、基縁部に平行する自由縁部に第２弾性部材を有する。一対のカフのいずれかには、基縁部が固定されている部位に隣接して前後方向へ伸長状態で延びる第３弾性部材が取り付けられているから、このおむつを着用すると、一対のカフのうちの一方のカフは第１弾性部材によって着用者の肌に、特に脚周りの内側の肌に密着し、もう一方のカフは第２弾性部材によって脚周りの内側の肌に密着することに加えて、これら一対のカフが第３弾性部材によってもその肌に密着するので、着用したおむつがずり下がっても、一対のカフそれぞれと肌との間には隙間が生じ難くなる。
【図面の簡単な説明】
【００１２】
【図１】使い捨てのおむつの部分破断斜視図。
【図２】図１のおむつから得られる展開おむつの部分破断平面図。
【図３】図２の部分拡大図。
【図４】図２のＩＶ−ＩＶ線切断面を示す図。
【図５】図２のＶ−Ｖ線切断面を示す図。
【図６】着用状態にあるおむつの部分図。
【発明を実施するための形態】
【００１３】
添付の図面を参照して、この発明に係る使い捨てのおむつの詳細を説明すると、以下のとおりである。
【００１４】
図１は、使い捨てのおむつの一例であるパンツ型の使い捨てのおむつ１の部分破断斜視図であって、おむつ１の前後方向と横方向と高さ方向とが互いに直交する双頭矢印Ａ，Ｂ，Ｃで示されている。おむつ１は、横方向Ｂの寸法を二等分する中心線Ｐに関して対称なもので、股下域２を形成する股部パネル６と、股下域２の前方に位置する前胴周り域３を形成する前パネル７と、股下域２の後方に位置する後胴周り域４を形成する後パネル８とを有し、前後パネル７，８が胴周りの側方において合掌状に重なり合い、上下方向Ｃに間欠的に並ぶ接合域２０において互いに溶着している。かような前後パネル７，８によって胴周り開口１２が画成され、前後パネル７，８と股部パネル６とによって一対の脚周り開口１３が画成されている。前パネル７は、互いに重なり合い間欠的に塗布されたホットメルト接着剤(図示せず)によって接合している第１内面シート１６と第１外面シート１７とによって形成され、これら両シート１６，１７の間には、前パネル７を伸長状態で横断している複数条の弾性部材１８と、前パネル７の側部のみにあって前パネル７を横断することなく伸長状態で横方向Ｂへ延びる複数条の弾性部材１９とがあって、これら弾性部材１８，１９が両シート１６，１７の少なくとも一方にホットメルト接着剤（図示せず）を介して取り付けられている。後パネル８もまた、ホットメルト接着剤（図示せず）を介して互いに重なり合う第２内面シート２２と第２外面シート２３とによって形成されていて、これら両シート２２，２３の間には後パネル８を伸長状態で横断する複数条の弾性部材２４と、後パネル８の側部のみにあって後パネル８を横断することなく伸長状態で横方向Ｂへ延びる弾性部材２５とがあって（図２参照）、これら弾性部材２４，２５が両シート２２，２３の少なくとも一方にホットメルト接着剤（図示せず）を介して接合している。かようなおむつ１において、着用者の肌（図示せず）と向かい合う面が内面５ａであり、着衣（図示せず）と向かい合う面が外面５ｂである。
【００１５】
図２は、図１のおむつ１において接合域２０で互いに溶着している前パネル７と後パネル８とを剥離して前後方向Ａに分離させ、股部パネル６とこれら前後パネル７，８とを前後方向Ａと横方向Ｂとに伸長して得られる展開おむつ１ａの部分破断平面図である。展開おむつ１ａにおいて、股部パネル６は前後方向Ａに長い矩形に形成されていて、前パネル７と重なり合う部分は第１内面シート１６に対してホットメルト接着剤（図示せず）を介して接合し、後パネル８と重なり合う部分は第２内面シート２２に対してホットメルト接着剤（図示せず）を介して接合している。股部パネル６では、横方向Ｂの中央に、前後方向Ａへ延びる体液吸収部３１が形成されており、横方向Ｂの両側部それぞれに、中心線Ｐに平行して前後方向Ａへ延びる外側カフ３２と内側カフ３３とが形成されている。体液吸収部３１には、透液性カバーシート３１ａと、体液吸収性の芯材３１ｂとが含まれていて、芯材３１ｂはその表面のうちの少なくともおむつ１の内面側がカバーシート３１ａによって被覆されている。
【００１６】
図３は、図２において仮想線ＩＩＩで囲まれている部分の拡大図である。外側カフ３２と内側カフ３３とは外側シート４２（図４を併せて参照）によって形成されていて、その外側シート４２は折り返されて重なり合う部分のうちの接合部位４４においてホットメルト接着剤４６または溶着によって接合しており、その接合部位４４は、中心線Ｐに平行して股部パネル６の前端部６ａと後端部６ｂ(図２参照)とにまで延びている。股部パネル６の横方向Ｂにおいて、外側カフ３２は接合部位４４よりも外側にあり、内側カフ３３は接合部位４４よりも内側にあって、接合部位４４が外側カフ３２と内側カフ３３との分岐部になっている。外側シート４２にはまた、接合部位４４に隣接して中心線Ｐと平行に前後方向Ａへ延びる分岐部弾性部材６０が伸長状態で取り付けられている。この発明において、分岐部弾性部材６０が接合部位４４に隣接しているとは、横方向Ｂにおいて分岐部弾性部材６０が接合部位４４から１０ｍｍ、より好ましくは５ｍｍの範囲内にあることを意味している。このような状態の分岐部弾性部材６０が使用される乳幼児用のおむつ１の一例では、図２に示された前後方向Ａにおいて、股下域２の寸法Ｌ２が２００〜３００ｍｍ、前胴周り域３の寸法Ｌ３が１００〜１５０ｍｍ、後胴周り域４の寸法Ｌ４が１００〜１５０ｍｍの範囲にあり、横方向Ｂにおいて、股下域の寸法Ｗ２が１５０〜２００ｍｍ、前胴周り域３の寸法Ｗ３が３００〜４００ｍｍ、後胴周り域４の寸法Ｗ４が３００〜４００ｍｍの範囲にある。体液吸収部３１の厚さ方向において、外側シート４２と体液吸収部３１との間には、不透液性の内側シート４１が設けられている。
【００１７】
図４は、図２におけるＩＶ−ＩＶ線切断面を示す図である。股部パネル６において、体液吸収部３１は、おむつ着用者(図示せず)の肌に当接可能な内面３６とその反対面３７とを有し、反対面３７は防漏シート部３８（図３を併せて参照）と対向している。防漏シート部３８は、不透液性プラスチックフィルムで形成された内側シート４１と、不織布、より好ましくは撥水性の繊維で形成された不織布、さらに好ましくは通気不透液性の不織布で形成された外側シート４２とを含んでいる。内側シート４１は、ホットメルト接着剤（図示せず）を介して体液吸収部３１の反対面３７に接合していて、体液吸収部３１を横断し、その側縁部３９を越えて横方向Ｂへ延びている。外側シート４２は、ホットメルト接着剤（図示せず）を介して内側シート４１に接合して股下域２においてのおむつ１の外面５ｂを形成しているもので、体液吸収部３１を横断するように横方向Ｂへ延びて、体液吸収部３１の側縁部３９から延出している。横方向Ｂへ延びた外側シート４２は、内側シート４１を越えて延びたのち、第１折曲部位４３において中心線Ｐに向かって折り返されることにより、外側シート４２どうしが重なり合っている。重なり合う外側シート４２どうしは、接合部位４４においてホットメルト接着剤４６を介して接合している。折り返された外側シート４２はまた、中心線Ｐ寄りの第２折曲部位４５において再び折り返され、横方向Ｂの外側へ向かって延びていて、延びた先端部分は内側弾性部材４９を被覆する筒部４８を形成している。内側弾性部材４９は、中心線Ｐに平行するように前後方向Ａへ伸長されているもので、ホットメルト接着剤（図示せず）を介して筒部４８の内面に接合している。外側シート４２は、第１折曲部位４３と接合部位４４との間においても筒状であって、第１折曲部位４３における内面には中心線Ｐに平行するように前後方向Ａへ伸長されている外側弾性部材４７がホットメルト接着剤（図示せず）を介して接合している。かような股部パネル６では、外側シート４２における第１折曲部位４３と接合部位４４との間の部分がおむつ着用者の脚周りの内側に密着可能な外側カフ３２を形成し、第１折曲部位４３がその外側カフ３２の外側縁部を形成している。また、接合部位４４と筒部４８との間の部分が脚周りの内側に密着可能な内側カフ３３を形成しており、接合部位４４が内側カフ３３の基縁部となり、筒部４８が変形の比較的自由な自由縁部になっている（図２，３参照）。かような内側カフ３３は、実質的な意味において、外側カフ３２におけるおむつ１の内面５ａに形成されているもので、展開おむつ１ａから図１のおむつ１が組み立てられると、仮想線で示されているように内面５ａから起立した状態になる。
【００１８】
図５は、図２におけるＶ−Ｖ線切断面を示す図であって、股部パネル６の前端部６ａの態様を示している。その前端部６ａでは、図において体液吸収部３１の下側にある外側シート４２がホットメルト接着剤５６を介して第２内面シート２２に接合し、外側カフ３２もまた第２内面シート２２に接合している。内側カフ３３は、折り重ねられた状態にあって、外側シート４２どうし、および外側シート４２とカバーシート３１ａとがホットメルト接着剤５７を介して接合している。股部パネル６の後端部６ｂ（図２参照）における外側シート４２と、それによって形成されている外側カフ３２とは、前端部６ａと同様な態様にあって、第１内面シート１６に接合している。内側カフ３３は、折り重ねられて図４と同様な態様にある。前端部６ａと後端部６ｂとの間に延びている外側弾性部材４７、内側弾性部材４９、分岐部弾性部材６０のうちのいずれか、より好ましくは分岐部弾性部材６０が、伸長・収縮可能な状態で前後パネル７，８における弾性部材１９，２５と交差するように延びている。交差するように延びたそれらの弾性部材は、協働して脚周りを囲み、従来の環状に配置されている脚周り弾性部材と同様に作用することができる。
【００１９】
図６は、図２〜５の構造を有する展開おむつ１ａが組み立てられて図１のおむつ１の状態になったときの股部パネル６の切断面を模式的に示すもので、一部の部材は図示が省略されているが、その切断面の位置は図４に示された切断面の位置と同じである。図６にはまた、おむつ１の着用者の脚周りの内側の一部分６２と、それにつながる鼠蹊部の一部分６３とが仮想線で示されている。おむつ１における股部パネル６は、前後方向ＡにおいてＵ字形に湾曲していて、前端部６ａと後端部６ｂとが前パネル７と後パネル８とによって吊り上げられた状態にあり、横方向Ｂにおいては、おむつ１の下方に向かって凸となるように湾曲している。外側カフ３２と内側カフ３３とは、外側弾性部材４７と内側弾性部材４９とが収縮することにより、体液吸収部３１の側縁部３９から上方へ向かって延びていて、図において外側カフ３２の下縁部となる外側シート４２の第１折曲部位４３が脚周りの内側６２に接触し、内側カフ３３は、第２折曲部位４５における折曲が消失し、頂縁部となる筒部４８が脚周りの内側６２または鼠蹊部６３に接触しており、これら一対の外側カフ３２と内側カフ３３とのそれぞれがおむつ１における体液の横漏れを防ぐ防漏性のカフとして機能する。内側カフ３３の基縁部となる外側シート４２における接合部位４４では、外側カフ３２と内側カフ３３とが分岐しており、その接合部位４４が分岐部弾性部材６０の作用によって脚周りの内側６２に弾性的に接触している。
【００２０】
おむつ１の好ましい着用状態においては、着用者の脚周りの内側６２が図２に仮想線６２で示された位置に来て、図１における股部パネル６の最下部における外側弾性部材４７、内側弾性部材４９、分岐部弾性部材６０を横方向Ｂの内側に向かって、すなわち中心線Ｐに接近するように変形させ、伸長させる。外側カフ３２の外側弾性部材４７と内側カフ３３の内側弾性部材４９とは、脚周りの内側６２に対しておむつ１の縦方向Ｃにおいて弾性的に接触すると同時に、おむつ１の内側から外側へ向かう横方向Ｂにおいても弾性的に接触することが可能であるが、着用者の脚周りを環状に締め付けることはない。外側カフ３２と内側カフ３３とは、そのようなものであるから、着用したおむつ１がずり下がると、外側カフ３２における第１折曲部位４３や内側カフ３３の筒部４８が脚周りの内側６２から離れて、脚周りの内側６２との間に隙間を作り、その隙間が体液の横漏れの原因になって、外側カフ３２や内側カフ３３の防漏性カフとしての機能が低下することがある。しかしながら、このおむつ１では、外側シート４２において、外側カフ３２と内側カフ３３との分岐点となる接合部位４４に隣接して分岐部弾性部材６０が設けられており、この分岐部弾性部材６０が外側カフ３２と内側カフ３３とをその接合部位４４において脚周りの内側６２に密着させるように作用するので、おむつ１がずり下がるときに、脚周りの内側６２から離れようとする外側カフ３２の動きは、外側弾性部材４３と分岐部弾性部材６０とで抑えられ、また内側カフ３３が脚周りの内側から離れようとする動きは、内側弾性部材４９と分岐部弾性部材６０とで抑えられて、これらカフ３２，３３と脚周りの内側６２との間に体液漏れの原因となる隙間のできることを防ぐことができる。接合部位４４に隣接する分岐部弾性部材６０は、外側カフ３２や内側カフ３３に接合していてもよいものではあるが、好ましくは図２，４に例示の如く接合部位４４の内側、すなわち接合部位４４と中心線Ｐとの間において外側シート４２に接合している。分岐部弾性部材６０は、図示例の他に、複数条の糸ゴムによって形成されていてもよいものであるが、いずれの場合にあっても、分岐部弾性部材６０が収縮状態にあるときの接合部位４４を２０％伸長するのに要する力Ｆ０は、外側弾性部材４７が収縮状態にあるときの外側カフ３２を２０％伸張するのに要する力Ｆ１と内側弾性部材４９が収縮状態にあるときの内側カフ３３を２０％伸長するのに要する力Ｆ２とのうちの力Ｆ０よりも高くて、内側カフ３３が肌から離間するように下がることを防止できるものであることが好ましい。分岐部弾性部材６０に代わる弾性部材を接合部位４４よりも内側に、例えば乳幼児用のおむつ１において接合部位４４から１０ｍｍを超えるように離間させて外側シート４２に取り付けた場合では、図２に示す脚周りの内側６２によってその弾性部材を中心線Ｐに向かって伸長させる量が図示例の分岐部弾性部材６０よりも少なくなる。そのようにして分岐部弾性部材６０に代わる弾性部材は、それがおむつ１の内側に入るほど脚周りの内側６２に横方向Ｂから密着する力が弱くなり、外側カフ３２や内側カフ３３の動きを抑える効果が乏しくなるので好ましいものではない。パンツ型の使い捨てのおむつ１を例にとって説明したこの発明は、前胴周り域２と後胴周り域３とをファスナを介して分離可能に連結する開放型のおむつにおいて実施することもできる。
【符号の説明】
【００２１】
１    使い捨てのおむつ
２    股下域
３    前胴周り域
４    後胴周り域
５ａ    内面
５ｂ    外面
１８    弾性部材
１９    弾性部材
２４    弾性部材
２５    弾性部材
３１ａ    透液性シート（カバーシート）
３１ｂ    芯材
３２    カフ（外側カフ）
３３    カフ（内側カフ）
４３    外側縁部（第１折曲部位）
４４    基縁部（接合部位）
４７    第１弾性部材（外側弾性部材）
４９    第２弾性部材（内側弾性部材）
６０    第３弾性部材（分岐部弾性部材）
Ａ  前後方向
Ｂ  横方向
Ｐ  中心線
【図１】
2010227414.tif 000003
【図２】
2010227414.tif 000004
【図３】
2010227414.tif 000005
【図４】
2010227414.tif 000006
【図５】
2010227414.tif 000007
【図６】
2010227414.tif 000008